(57)【要約】【課題】この発明はペットが外気温度の変化に係らず、快適に過ごすことができるようにしたペット用マットを提供することにある。【解決手段】弾性材料によって形成された枠体１と、この枠体内に設けられたシート状のヒータ４と、このヒータ上に設けられ内部に液体が収容されたウオータバック５と、枠体を被覆した外装体１１とを具備する。【選択図】      図１
2005080630.tif 000002
【特許請求の範囲】
【請求項１】
弾性材料によって形成された枠体と、
この枠体内に設けられたシート状のヒータと、
このヒータ上に設けられ内部に液体が収容されたウオータバックと、
上記枠体を被覆した外装体と
を具備したことを特徴とするペット用マット。
【請求項２】
上記ウオータバックには吸水性ポリマーが収容され、この吸収性ポリマーに上記液体が吸収されることを特徴とする請求項１記載のペット用マット。
【請求項３】
上記外装体は上記枠体の下面側を覆う下カバーと、上記枠体の上面側を覆うとともに上記下カバーに着脱可能に連結される上カバーとからなることを特徴とする請求項１記載のペット用マット。
【発明の詳細な説明】
【技術分野】
【０００１】
この発明はペットが横たわるのに用いられるペット用マットに関する。
【背景技術】
【０００２】
最近、犬や猫などのペットに対する関心が高く、室内でペットを飼う家庭が増えている。室内でペットを飼う場合、夜間などはペットの居場所が定まっていることを好む飼い主がいる。
【０００３】
そこで、室内の所定の場所にペット用マットを置き、そこでペットを寝かせるようにするということが考えられている。しかしながら、暑い日や寒い日などは、暑さや寒さを凌ぐため、たとえば室内の涼しい場所に入り込んだり、温かい場所に入り込むなどして、ペットがペット用マット上からいなくなるということがある。
【０００４】
とくに、マンション住宅などの室内でペットを飼うとともに、そこの住人が働きに出ているような場合、昼間の室内の温度は外気温度に応じて変化が大きくなるため、ペットが衰弱するということがあり、それを防ぐために室内の空調機を運転したままにしておくということもある。
【発明の開示】
【発明が解決しようとする課題】
【０００５】
このように、室内にペット用マットを置き、たとえば夜などのペットの居場所を決めるようにしても、ペットは外気の温度変化に対して順応性が低いため、居場所を変えることが多く、しかも温度変化が大きい場合には衰弱するということもある。
【０００６】
この発明は、夏は涼しく、冬は温かくすることで、ペットが快適に過ごせるようにしたペット用マットを提供することにある。
【課題を解決するための手段】
【０００７】
この発明は、弾性材料によって形成された枠体と、
この枠体内に設けられたシート状のヒータと、
このヒータ上に設けられ内部に液体が収容されたウオータバックと、
上記枠体を被覆した外装体と
を具備したことを特徴とするペット用マットにある。
【０００８】
上記ウオータバックには吸水性ポリマーが収容され、この吸収性ポリマーに上記液体が吸収されることが好ましい。
【０００９】
上記外装体は上記枠体の下面側を覆う下カバーと、上記枠体の上面側を覆うとともに上記下カバーに着脱可能に連結される上カバーとからなることが好ましい。
【発明の効果】
【００１０】
この発明によれば、枠体内にヒータ及びウオータバックが設けられているため、マット上のペットはウオータバックに収容された液体によって身体を冷やすことができ、ヒータによって温めることができる。
【発明を実施するための最良の形態】
【００１１】
以下、この発明の一実施の形態を図面を参照して説明する。
【００１２】
図１はペット用マットＭの分解斜視図であって、このペット用マットＭは枠体１を有する。この枠体１はウレタンフォームなどの４本の角柱状の弾性材料によって矩形枠状に形成されている。枠体１の下面には下カバー２が設けられ、枠体２の下面開口を閉塞している。下カバーは合成樹脂やキャンバスなどの厚手の布などによって形成されている。
【００１３】
上記枠体１の上面及び内外周面は、断面形状が逆Ｕ字状に形成された防水シート３によって覆われる。防水シート３によって覆われた枠体１の内部にはシート状の電熱ヒータ４が設けられ、この電熱ヒータ４の上面には一対のウオータバック５が収納される。
【００１４】
上記電熱ヒータ４に設けられた電源コード４ａは図示しないコルゲート管によって保護されている。それによって、後述するようにペット用マットＭを利用するペットＰが電源コード４ａを噛むなどしても損傷しないようになっている。
【００１５】
上記ウオータバック５は、たとえばＥＶＡ（エチレン・ビニール・アセテート）をブロー成形して所定の肉厚で、しかも透明度を残して着色して成形されている。このウオータバック５は内部空間が連通し、しかも折り曲げ可能に連結された３つの収容部６を有し、各収容部６には高吸水性ポリマーが水溶性の紙袋に入れて収容されている。高吸水性ポリマーとしてはアクリル酸ビニールアルコール系の材料が用いられる。
【００１６】
中央の収容部６にはキャップ７が設けられ、このキャップ７を外して３つの収容部６に液体としての水が入れられる。収容部６に水を入れると、その水は高吸水性ポリマーによって吸水される。
【００１７】
ウオータバック５が収容された枠体１は上カバー８によって覆われる。この上カバー８は枠体１の外周面を覆う側辺部８ａを有し、この側辺部８ａの下端と上記下カバー２の周縁部とはファスナ９によって分解可能に連結される。上カバー８は、下カバー２と同様、合成樹脂やキャンバスなどの厚手の布などによって形成されている。内、上記下カバー２と上カバー８とで外装体１１を形成している。
【００１８】
このように構成されたペット用マットＭによれば、枠体１内のウオータバック５に収容された水が冷却作用を呈するから、夏季などの温度の高い季節には図３に示すように犬などのペットＰがマットＭ上に横たわることで、体温が上昇し過ぎるのを防止することができる。
【００１９】
冬季などの温度が低い季節には電熱ヒータ４に通電し、ウオータバック５内の水を温める。それによって、マットＭ上のペットＰは体温が下がるのを防止することができる。
【００２０】
このようなペット用マットＭを室内の所定の場所に置いておけば、ペットＰは外気温度の変化に係らず、快適に過ごすることができるから、とくに夜間などは常に利用するようになり、居場所が定まる。また、夏季に暑さで衰弱するのを防止することができる。
【００２１】
ウオータバック５に収容される水は高吸水性ポリマーに吸収されている。そのため、ウオータバック５が損傷するようなことがあっても、内部の水が流出するのを防止することができる。
【００２２】
枠体１を被覆した下カバー２と上カバー８はファスナ９によって分解することができる。そのため、カバー２，８を取外して容易に洗濯することができるばかりか、電熱ヒータ４やウオータバック５の点検や交換なども容易に行うことができる。
【図面の簡単な説明】
【００２３】
【図１】この発明の一実施の形態を示すペット用マットの分解斜視図。
【図２】ウオータバックの側面図。
【図３】ペット用マットをペットが利用している状態の斜視図。
【符号の説明】
【００２４】
１…枠体、２…下カバー、４…電熱ヒータ、５ヴオータバック、８…上カバー。
【図１】
2005080630.tif 000003
【図２】
2005080630.tif 000004
【図３】
2005080630.tif 000005